(57)【要約】      （修正有）【課題】警報音発生器と断続リレーとスピーカーと警報灯器の機能確認及びケーブル回線の回路確認を行い、踏切警報機の信頼性を高める。【解決手段】交流導通試験部１０からスピーカー４へ、直流導通試験部１１から警報灯器５へ試験信号を送出し、踏切警報区間に列車不在時は、交流導通試験部と接点構成１８と回線６とスピーカーで回路構成し、交流計測部１２を回線６の回路に接続し試験信号を計測し、踏切警報区間に列車在線時は、警報音発生器２と接点構成１８と回線６とスピーカーで回路構成し、回線６の回路に接続した交流計測部１２で警報音発生器２の出力を計測し、断続リレー３と接点構成１９と回線７と警報灯器５で回路構成し、回線７の回路に接続した直流計測部１３で断続リレー３の出力を計測し、計測データをデータ判定処理部１４で受信し、正常時の基準データと常時受信の計測データを比較し、比較値に基づき正常か異常か判定確認し警報出力する。【選択図】図１
2013001364.tif 000002
【特許請求の範囲】
【請求項１】
交流導通試験部と直流導通試験部と切替リレー回路部と交流計測部と直流計測部と
データ判定処理部を有し、前記交流導通試験部は、交流信号を間歇的に生成出力して
スピーカーへ送出し、前記直流導通試験部は、警報灯器が発光しない程度のパルス信
号を生成出力して警報灯器へ送出し、前記切替リレー回路部は、切替リレーＲＴを有
し、踏切警報区間に列車不在時は、切替リレーＲＴのフロント接点を介して、前記交
流導通試験部とケーブル回線とスピーカーとの回路と、前記直流導通試験部とケーブ
ル回線と警報灯器とで回路が構成され、踏切警報区間に列車在線時は、切替リレーＲ
Ｔのバック接点を介して警報音発生器とケーブル回線とスピーカーとの回路と、断続
リレーとケーブル回線と警報灯器とで回路が構成され、切替リレーＲＴの動作により
切替リレーＲＴの接点を介して回路構成を切替え、前記交流計測部は、切替リレーＲ
Ｔのコモン接点とスピーカーとの間の回路に接続され、切替リレーＲＴの動作により
前記交流導通試験部と警報音発生器との出力信号を計測し、前記直流計測部は、切替
リレーＲＴのコモン接点と警報灯器との間の回路に接続し、切替リレーＲＴの動作に
より前記直流導通試験部と断続リレーとの出力信号を計測し、前記データ判定処理部
は、前記交流計測部と前記直流計測部の計測データを受信し、正常時の計測データを
基準データとして保存し、常時受信する計測データと基準データを比較して、比較値
に基づいて正常か異常かを判定処理し警報出力することを特徴とする踏切警報機機能
確認装置。
【請求項２】
並列二重系の切替リレーＲＴが動作不一致のとき、一致リレーＰＴのコイルが非励磁
となり、一致リレーＰＴの動作接点が開になり、警報音発生器の出力と交流導通試験
部の出力及び断続リレーの出力と直流導通試験部の出力の混線を防ぐことを特徴とす
る請求項１の踏切警報機機能確認装置。
【発明の詳細な説明】
【技術分野】
【０００１】
本発明は、鉄道における踏切保安設備、特に踏切警報機の信頼性の向上化に関する
ものである。
【背景技術】
【０００２】
図３は、従来の踏切警報機の構成図である。踏切警報機に於いて、踏切警報区間に
列車不在時、警報制御リレーＲ１のコイルが励磁し、警報音発生器２と断続リレー３
とスピーカー４と警報灯器５が動作停止し、踏切警報区間に列車在線時、警報制御リ
レーＲ１のコイルが非励磁となり、警報音発生器２と断続リレー３が動作し、ケーブ
ル回線６及びケーブル回線７を介してスピーカー４が鳴り、警報灯器５が点滅閃光動
作する。
【０００３】
この踏切警報機の一連の動作中にスピーカー４から警報音が出ていないか、警報灯
器５が点滅閃光していない時、警報音発生器２か断続リレー３の異常によるものか、
ケーブル回線６及びケーブル回線７の線間短絡か断線によるもかの確認が出来ない。
また、踏切警報区間に列車不在時に踏切警報機の個々の異常、ケーブル回線６及びケ
ーブル回線７の線間短絡や断線が発生しても確認が出来ない。
【０００４】
この装置において、警報音発生器２、スピーカー４、断続リレー３、警報灯器５の
いずれかが異常の場合、またはケーブル回線６及びケーブル回線７の線間短絡か断線
が起こった場合に速やかに異常の個所を検知確認することが要望される。
【先行技術文献】
【特許文献】
【０００５】
【特許文献１】特開２０１０−０８９６６６  公報
【発明の概要】
【発明が解決しようとする課題】
【０００６】
本発明は、この要望を満たすためになされるものであり、踏切警報区間に列車不在
時に、スピーカー、警報灯器の異常及びケーブル回線の線間短絡や断線の確認ができ、
踏切警報区間に列車在線時に警報音発生器、断続リレー、スピーカー、警報灯器の異
常及びケーブル回線の線間短絡や断線の確認ができると共に、低コストで容易に施工
できる踏切警報機機能確認装置を提供することを目的とするものである。
【課題を解決するための手段】
【０００７】
本発明の踏切警報機機能確認装置は、交流導通試験部と直流導通試験部と切替リレ
ー回路部と交流計測部と直流計測部とデータ判定処理部を有し、交流導通試験部は、
交流信号を間歇的に生成出力してスピーカーへ送出し、直流導通試験部は、警報灯器
が発光しない程度のパルス信号を生成出力して警報灯器へ送出し、切替リレー回路部
は、切替リレーＲＴを有し、踏切警報区間に列車不在時は、切替リレーＲＴのフロン
ト接点を介して、交流導通試験部とケーブル回線とスピーカーとの回路と、直流導通
試験部とケーブル回線と警報灯器とで回路が構成され、踏切警報区間に列車在線時は、
ページ  ２
切替リレーＲＴのバック接点を介して警報音発生器とケーブル回線とスピーカーとの
回路と、断続リレーとケーブル回線と警報灯器とで回路が構成され、切替リレーＲＴ
の動作により切替リレーＲＴの接点を介して回路構成を切替え、交流計測部は、切替
リレーＲＴのコモン接点とスピーカーとの間の回路に接続され、切替リレーＲＴの動
作により交流導通試験部と警報音発生器との出力信号を計測し、直流計測部は、切替
リレーＲＴのコモン接点と警報灯器との間の回路に接続し、切替リレーＲＴの動作に
より直流導通試験部と断続リレーとの出力信号を計測し、データ判定処理部は、交流
計測部と直流計測部の計測データを受信し、正常時の計測データを基準データとして
保存し、常時受信する計測データと基準データを比較して、比較値に基づいて正常か
異常かを判定処理し警報出力することを特徴とし、並列二重系の切替えリレーＲＴが
動作不一致のとき、一致リレーＰＴのコイルが非励磁となり、一致リレーＰＴの動作
接点が開になり、警報音発生器の出力と交流導通試験部の出力及び断続リレーの出力
と直流導通試験部の出力の混線を防ぐことを特徴とする。
【発明の効果】
【０００８】
本発明によれば踏切警報区間に列車不在時、警報制御リレーＲに連動する切替リレ
ーＲＴの接点を介して交流導通試験部とケーブル回線とスピーカーとの回路が構成さ
れ、交流導通試験部からスピーカーへ試験信号を送出して、交流計測部で試験信号を
取り込み計測し、計測データをデータ判定処理部に送り、正常時の基準データと比較
し動作機能を確認し、また切替リレーＲＴの別の接点を介して、直流導通試験部とケ
ーブル回線と警報灯器との回路が構成され、直流導通試験部から警報灯器へ試験信号
を送出して、直流計測部で試験信号を取り込み計測し、計測データをデータ判定処理
部に送り、正常時の基準データと比較し動作機能を確認することができる。            
【０００９】
また踏切警報区間に列車在線時、警報制御リレーＲに連動する切替リレーＲＴの接
点を介して警報音発生器とケーブル回線とスピーカーとの回路が構成され交流計測部
で信号を取り込み計測し、また切替えリレーＲＴの別の接点を介して断続リレーとケ
ーブル回線と警報灯器とで回路が構成され、直流計測部で信号を取り込み計測し、計
測データをデータ処理制御部に送り、正常時の基準データと比較し動作機能を確認す
ることができる。
【図面の簡単な説明】
【００１０】
【図１】本発明の踏切警報機機能確認装置の構成図である
【図２】切替リレー回路部が一重系の踏切警報機機能確認装置の構成図である
【図３】従来の踏切警報機の構成図である
【発明を実施するための形態】
【００１１】
本発明の踏切警報機機能確認装置は、踏切警報区間に列車不在時にはスピーカーと
警報灯器の機能確認及びケーブル回線の線間短絡や断線の確認ができ、踏切警報区間
に列車在線時には警報音発生器と断続リレーとスピーカーと警報灯器の機能確認及び
ケーブル回線の線間短絡や断線の確認ができ、更に低コストで容易に施工できること
を目的とし、踏切異常検知器と切替リレー回路部で、踏切警報機の従来の機能を損な
うことなく実現した。
【００１２】
交流導通試験部と直流導通試験部と切替リレー回路部と交流計測部と直流計測部と
ページ  ３
データ判定処理部を有し、交流導通試験部は可聴周波数帯域の上限値の交流信号を間
歇的に生成出力し、試験信号としてスピーカーへ送出し、直流導通試験部は警報灯器
がＬＥＤの場合ＬＥＤの導通が確認でき、発光しない程度のパルス信号を生成し試験
信号とし、電球の場合フィラメントが発光しない程度のパルス信号を生成し試験信号
として警報灯器へ送出し、交流計測部は、入力部に非接触式の交流電流センサーを使
用し、切替リレー回路部の切替リレーＲＴの接点構成を介して警報音発生器の出力と
交流導通試験部の出力を計測し、直流計測部は、警報灯器がＬＥＤの場合は微弱電流
を電圧に換算して計測し、電球の場合は入力部に非接触式の直流電流センサーを使用
し、切替リレー回路部の切替リレーＲＴの接点構成を介して断続リレー出力と直流導
通試験部の出力を計測し、切替リレー回路部は切替リレーＲＴを有し、踏切警報区間
に列車不在時は、警報制御リレーＲのコイルが励磁となり、切替リレーＲＴのコイル
が励磁となり、切替リレーＲＴのフロント接点で交流導通試験部とケーブル回線とス
ピーカーで回路が構成され切替リレーＲＴの別のフロント接点で直流導通試験部とケ
ーブル回線と警報灯器で回路が構成され、踏切警報区間に列車在線時は、警報制御リ
レーＲのコイルが非励磁となり、切替リレーＲＴのコイルが非励磁となり、切替リレ
ーＲＴのバック接点で警報音発生器とケーブル回線とスピーカーで回路が構成され、
切替リレーＲＴの別のバック接点で断続リレーとケーブル回線と警報灯器で回路が構
成され、切替リレーＲＴのコイルが励磁または非励磁となることで切替リレーＲＴの
接点を介して回路構成を切り替え、データ判定処理部は交流計測部と直流計測部の計
測データを受信し、踏切警報区間に列車不在時と列車在線時の正常時の警報音発生器
出力と交流導通試験部出力及び断続リレー出力と直流導通試験部出力の計測データを
受信し基準データとして保存し、常時受信する計測データと基準データを比較して、
比較値に基づき正常か異常か判断し警報出力することを特徴とする。
【実施例１】
【００１３】
図１は本発明の踏切警報機機能確認装置の構成図である。踏切警報機機能確認装置
は、切替リレー回路部８と踏切異常検知器９を接続して一架に組込み、踏切付近に設
置された踏切器具函内に収容され、切替リレー回路部８は踏切器具函内の警報音発生
器２と断続リレー３と踏切器具函の外部のスピーカー４と警報灯器５とに接続され、
警報制御リレーＲ１に連動し、切替リレーＲＴ１５と切替リレーＲＴ１６が動作し、
切替リレーＲＴ１５と切替リレーＲＴ１６は複数組の接点が同時に動作する信号用リ
レーを使用し、切替リレーＲＴ１５と切替リレーＲＴ１６のリレー接点の融着と接触
不良防止対策として並列２重系とし、切替リレーＲＴ１５と切替リレーＲＴ１６とが
接点構成２０で、同一動作した時に一致リレーＰＴ１７が動作して、一致リレーＰＴ
１７の接点と切替リレーＲＴ１６の接点構成１８と接点構成１９とケーブル回線６と
ケーブル回線７で回路が構成され、接点構成１８で交流導通試験部１０の出力と警報
音発生器２の出力及び接点構成１９で直流導通試験部１１の出力と断続リレー３の出
力との混線を防ぐように構成し、切替リレーＲＴ１５と切替リレーＲＴ１６との動作
が不一致の場合、一致リレーＰＴ１７のコイルが非励磁になり、動作接点が開になり
交流導通試験部１０の出力と直流導通試験部１１の出力が一致リレーＰＴ１７の接点
で遮断され、交流導通試験部１０の出力と警報音発生器２の出力の混線と直流導通試
験部１１の出力と断続リレー３の出力の混線を防ぐ。
【００１４】
踏切異常検知器９は交流導通試験部１０と直流導通試験部１１と交流計測部１２と
直流計測部１３とデータ判定処理部１４とから成り、それぞれ半導体素子を用いた論
ページ  ４
理回路で構成されている。警報制御リレーＲ１のフロント接点に切替リレーＲＴ１５
と切替リレーＲＴ１６が並列接続され、踏切警報区間に列車不在時、警報制御リレ
ーＲ１のコイルが励磁となり切替リレーＲＴ１５と切替リレーＲＴ１６のコイルが励
磁となり、切替リレーＲＴ１５と切替リレーＲＴ１６の接点構成１８のフロント接点
に交流導通試験部１０がＰＴの接点を介して接続され、切替リレーＲＴ１５と切替リ
レーＲＴ１６の接点構成１８のコモン接点にケーブル回線６を介してスピーカー４が
接続され、切替リレーＲＴ１５と切替リレーＲＴ１６との別の接点構成１９のフロン
ト接点に直流導通試験部１１がＰＴの接点を介して接続され、切替リレーＲＴ１５と
切替リレーＲＴ１６の別の接点構成１９のコモン接点にケーブル回線７を介して警報
灯器５が接続され、踏切警報区間に列車在線時、切替リレーＲＴ１５と切替リレーＲ
Ｔ１６のコイルが非励磁となり、切替リレーＲＴ１５と切替リレーＲＴ１６との接点
構成１８のバック接点に警報音発生器２が接続され、切替リレーＲＴ１５と切替リレ
ーＲＴ１６の別の接点構成１９のバック接点に断続リレー３が接続され、交流計測部
１２は切替リレーＲＴ１５と切替リレーＲＴ１６の接点構成１８のコモン接点とスピ
ーカー４の間の回線６と接続され、直流計測部１３は切替リレーＲＴ１５と切替リレ
ーＲＴ１６の別の接点構成１９のコモン接点と警報灯器５の間の回線７と接続され、
交流計測部１２の出力と直流計測部１３の出力はデータ判定処理部１４に接続され、
切替リレーＲＴの接点構成２１はデータ判定処理部１４に接続され、データ判定処理
部１４の出力は警報出力として外部に接続されている。
【００１５】
次に動作を説明する。
この踏切警報機機能確認装置では踏切異常検知器９の交流導通試験部１０及び直流
導通試験部１１でそれぞれ試験信号が生成され、切替リレー回路部８の、切替リレー
ＲＴ１５と切替リレーＲＴ１６の接点構成１８のフロント接点及び接点構成１９のフ
ロント接点へ送信される。
【００１６】
例えば、踏切警報区間に列車不在時、警報制御リレーＲ１は励磁され、切替リレー
ＲＴ１５と切替リレーＲＴ１６は励磁となり、切替リレーＲＴ１５と切替リレーＲＴ
１６の接点構成１８及び接点構成１９はフロント接点とコモン接点で構成され、交流
導通試験部１０からＰＴの接点を介して接点構成１８のフロント接点とケーブル回線
６を介してスピーカー４へ試験信号が送信され、直流導通試験部１１からＰＴの接点
を介して接点構成１９のフロント接点とケーブル回線７を介して警報灯器５へ試験信
号が送信され、交流導通試験部１０の試験信号出力はケーブル回線６と接続している
交流計測部１２で計測し、直流導通試験部１１の試験信号出力はケーブル回線７と接
続している直流計測部１３で計測し、それぞれデータ判定処理部１４に送信する。
【００１７】
踏切警報区間に列車在線時、警報制御リレーＲ１は非励磁され、切替リレーＲＴ１
５と切替リレーＲＴ１６は非励磁となり、切替リレーＲＴ１５と切替リレーＲＴ１６
の接点構成１８及び接点構成１９はバック接点とコモン接点で構成され、警報音発生
器２から接点構成１８のバック接点とケーブル回線６を介してスピーカー４へ警報音
信号が送信され、断続リレー３から接点構成１９のバック接点とケーブル回線７を介
して警報灯器５へ警報閃光信号が送信される。警報音発生器２の警報音信号出力はケ
ーブル回線６と接続している交流計測部１２で計測し、断続リレー３の閃光信号出力
はケーブル回線７と接続している直流計測部１３で計測し、それぞれデータ判定処理
部１４に送信する。
ページ  ５
【００１８】
データ判定処理部１４に於いて、踏切警報区間に車両不在時、切替リレーＲＴの接
点構成２１が閉になり、交流導通試験部１０と直流導通試験部１１にそれぞれの試験
信号の生成を命令し出力送信し、交流計測部１２と直流計測部１３で切替リレー回路
部の接点構成１８を介して試験信号を入力受信し、正常時の計測データを基準データ
として保存し、常時受信する計測データを処理し、基準データと比較して、比較値に
基づいて正常か異常かを判定処理し、警報出力として外部に出力する。
【００１９】
踏切警報区間に列車在線時、切替リレーＲＴの接点構成２１が開になり、交流導通
試験部１０と直流導通試験部１１にそれぞれの試験信号の生成停止を命令し、同時に
切替リレー回路部の接点構成１８を介して、警報音発生器２の警報音信号出力をケー
ブル回線６と接続している交流計測部１２で計測し、切替リレーＲＴ１５と切替リレ
ーＲＴ１６の接点構成１９を介して、断続リレー３の閃光信号出力をケーブル回線７
と接続している直流計測部１３で計測し、入力受信し、正常時の計測データを基準デ
ータとして保存し、常時、警報音発生器２の警報音信号出力、断続リレー３の閃光信
号出力を受信し、データを処理し、基準データと比較して、比較値に基づいて正常か
異常かを判定し、警報出力として外部に出力する。
【００２０】
なお本発明は、上記実施形態に限定されず，種々の形態が可能である。この形態例
としては、例えば、次の（ａ）〜（ｃ）のようなものがある。
（ａ）切替リレー回路部のリレーは高信頼性の信号用リレーを使用しているのでリレ
ー接点の溶着や接触不良を考慮のうえ容認した場合は、図２のように一重系の
構成も可能である。
（ｂ）データ判定処理部での基準値は警報機の設置場所、環境により異なるので現場
ごとに基準設定値を決めると良い。
（ｃ）回線７につながる警報灯器は電球式でもＬＥＤ式でも良い。
【符号の説明】
【００２１】
１；警報制御リレーＲ
２；警報音発生器
３；断続リレー
４；スピーカー
５；警報灯器
６、７；信号線
８；切替リレー回路部
９；踏切異常検知器
１０；交流導通試験部
１１；直流導通試験部
１２；交流計測部
１３；直流計測部
１４；データ判定処理部
１５，１６；切替リレーＲＴ
１７；一致リレーＰＴ
１８、１９、２０、２１；リレー接点構成
【図１】
2013001364.tif 000003
【図２】
2013001364.tif 000004
【図３】
2013001364.tif 000005